(57)【要約】  本発明は、ラインアレイラウドスピーカに関するものであって、第１グループをなす複数の音響ドライバであるとともに、各音響ドライバが軸線を有しており、さらに、第１グループをなすこれら複数の音響ドライバが、これら音響ドライバの各軸線が第１平面内において同一平面的に位置するようにして、なおかつ、これら音響ドライバの各々に関する同じ位置のところにおいて直線が各軸線と交差するようにして、配置されているような、第１グループをなす複数の音響ドライバと；同様の構成とされた第２グループをなす複数の音響ドライバと；を具備し、第１グループをなす複数の音響ドライバと第２グループをなす複数の音響ドライバとが、第１平面と第２平面とが交差直線に沿って交差するようにして、配置されている。
2009512275.tif 000002
【特許請求の範囲】
【請求項１】
ラインアレイラウドスピーカであって、
第１グループをなす複数の音響ドライバであるとともに、各音響ドライバが軸線を有しており、さらに、第１グループをなすこれら複数の音響ドライバが、これら音響ドライバの各軸線が第１平面内において同一平面的に位置するようにして、なおかつ、これら音響ドライバの各々に関する同じ位置のところにおいて直線が各軸線と交差するようにして、配置されているような、第１グループをなす複数の音響ドライバと；
第２グループをなす複数の音響ドライバであるとともに、各音響ドライバが軸線を有しており、さらに、第２グループをなすこれら複数の音響ドライバが、これら音響ドライバの各軸線が第２平面内において同一平面的に位置するようにして、なおかつ、これら音響ドライバの各々に関する同じ位置のところにおいて直線が各軸線と交差するようにして、配置されているような、第２グループをなす複数の音響ドライバと；
を具備し、
前記第１グループをなす複数の音響ドライバと前記第２グループをなす複数の音響ドライバとが、前記第１平面と前記第２平面とが交差直線に沿って交差するようにして、配置されていることを特徴とするラインアレイラウドスピーカ。
【請求項２】
請求項１記載のラインアレイラウドスピーカにおいて、
前記第１グループをなす複数の音響ドライバと前記第２グループをなす複数の音響ドライバとが、交互配置されていることを特徴とするラインアレイラウドスピーカ。
【請求項３】
請求項１記載のラインアレイラウドスピーカにおいて、
前記第１グループをなす複数の音響ドライバのうちの、少なくとも２つの音響ドライバの軸線が、平行とされていることを特徴とするラインアレイラウドスピーカ。
【請求項４】
請求項１記載のラインアレイラウドスピーカにおいて、
前記第１グループをなす複数の音響ドライバの各々に関する前記同じ位置、および、前記第２グループをなす複数の音響ドライバの各々に関する前記同じ位置が、ダストキャップの中心とされていることを特徴とするラインアレイラウドスピーカ。
【請求項５】
ラウドスピーカデバイスであって、
第１音響ドライバと、第２音響ドライバと、第３音響ドライバと、を具備し、
これら音響ドライバの各々が、軸線を有しており、
前記音響ドライバどうしが、直線に沿って配置されており、
前記音響ドライバの各軸線が、前記直線に対して垂直とされ、
前記第１音響ドライバと、前記第２音響ドライバと、前記第３音響ドライバとが、さらに、互いに隣接している音響ドライバの軸線どうしが非平行であるようにして、配置されていることを特徴とするラウドスピーカデバイス。
【請求項６】
請求項５記載のラウドスピーカデバイスにおいて、
方位平面上への前記第１音響ドライバの投影と、前記方位平面上への前記第２音響ドライバの投影とが、角度θで交差しており、
前記方位平面上への前記第２音響ドライバの投影と、前記方位平面上への前記第３音響ドライバの投影とが、角度φで交差していることを特徴とするラウドスピーカデバイス。
【請求項７】
請求項６記載のラウドスピーカデバイスにおいて、
φ＝−θであり、これにより、前記方位平面上への前記第１音響ドライバの投影と、前記方位平面上への前記第３音響ドライバの投影とが、角度２θで交差していることを特徴とするラウドスピーカデバイス。
【請求項８】
請求項６記載のラウドスピーカデバイスにおいて、
φ＝θであり、これにより、前記方位平面上への前記第１音響ドライバの投影と、前記方位平面上への前記第３音響ドライバの投影とが、互いに一致していることを特徴とするラウドスピーカデバイス。
【請求項９】
請求項８記載のラウドスピーカデバイスにおいて、
さらに、軸線を有した第４音響ドライバを具備し、
この第４音響ドライバが、前記直線に沿って配置されており、
この第４音響ドライバが、前記方位平面上へのこの第４音響ドライバの投影と前記方位平面上への前記第２音響ドライバの投影とが互いに一致しているようにして、配置されていることを特徴とするラウドスピーカデバイス。
【請求項１０】
請求項５記載のラウドスピーカデバイスにおいて、
前記直線が、前記第１音響ドライバのダストカバーの中心と、前記第２音響ドライバのダストカバーの中心と、前記第３音響ドライバのダストカバーの中心と、を通過していることを特徴とするラウドスピーカデバイス。
【請求項１１】
ラウドスピーカデバイスであって、
第１グループをなす複数の音響ドライバであるとともに、各音響ドライバが軸線を有しており、さらに、第１グループをなすこれら複数の音響ドライバが、直線に沿って配置され、さらに、第１グループをなすこれら複数の音響ドライバの軸線どうしが互いに平行とされているような、第１グループをなす複数の音響ドライバと；
第２グループをなす複数の音響ドライバであるとともに、各音響ドライバが軸線を有しており、さらに、第２グループをなすこれら複数の音響ドライバが、直線に沿って配置され、さらに、第２グループをなすこれら複数の音響ドライバの軸線どうしが互いに平行とされているような、第２グループをなす複数の音響ドライバと；
を具備し、
前記第１グループをなす複数の音響ドライバの各軸線と前記第２グループをなす複数の音響ドライバの各軸線とが、非平行とされていることを特徴とするラウドスピーカデバイス。
【請求項１２】
請求項１１記載のラウドスピーカデバイスにおいて、
前記第１グループをなす複数の音響ドライバと前記第２グループをなす複数の音響ドライバとが、前記第１グループの２つの音響ドライバが前記第２グループの１つの音響ドライバによって隔離されているようにして、配置されていることを特徴とするラウドスピーカデバイス。
【請求項１３】
請求項１１記載のラウドスピーカデバイスにおいて、
前記ラウドスピーカデバイスが、表面上に配置され得るように構成され、
前記直線が、前記表面に対して非垂直とされていることを特徴とするラウドスピーカデバイス。
【請求項１４】
請求項１１記載のラウドスピーカデバイスにおいて、
前記ラウドスピーカデバイスが、表面上に配置され得るように構成され、
前記ラウドスピーカデバイスが、前記直線が前記表面に対して平行とされた第１の向きと、前記直線が前記表面に対して非平行とされた第２の向きと、のいずれかでもって選択的に、前記表面上に配置され得るように構成されていることを特徴とするラウドスピーカデバイス。
【請求項１５】
請求項１１記載のラウドスピーカデバイスにおいて、
前記第１グループをなす複数の音響ドライバと前記第２グループをなす複数の音響ドライバとが、第１周波数帯域の圧力波を放射するものとして構成され、
前記ラウドスピーカデバイスが、さらに、第２周波数帯域の圧力波を放射する追加的な音響ドライバを具備していることを特徴とするラウドスピーカデバイス。
【請求項１６】
モニター用ラウドスピーカであって、
直線に沿って配置されたような、第１音響ドライバと、第２音響ドライバと、第３音響ドライバと、を具備し、
これら音響ドライバの各軸線が、非平行とされていることを特徴とするモニター用ラウドスピーカ。
【請求項１７】
請求項１６記載のモニター用ラウドスピーカにおいて、
前記モニター用ラウドスピーカが、平面上に配置され得るように構成され、
前記直線が、前記平面に対して非垂直とされていることを特徴とするモニター用ラウドスピーカ。
【請求項１８】
請求項１７記載のモニター用ラウドスピーカにおいて、
前記モニター用ラウドスピーカが、平面上に配置され得るように構成され、
前記モニター用ラウドスピーカが、前記直線が前記平面に対して平行とされた第１の向きと、前記直線が前記平面に対して非平行とされた第２の向きと、のいずれかでもって選択的に、前記平面上に配置され得るように構成されていることを特徴とするモニター用ラウドスピーカ。
【請求項１９】
請求項１６記載のモニター用ラウドスピーカにおいて、
前記直線が、前記各音響ドライバのダストカバーの中心を通過していることを特徴とするモニター用ラウドスピーカ。
【請求項２０】
請求項１９記載のモニター用ラウドスピーカにおいて、
前記第１グループをなす複数の音響ドライバの各々に関する前記同じ位置、および、前記第２グループをなす複数の音響ドライバの各々に関する前記同じ位置が、直線によって連結可能とされた前記第１グループをなす複数の音響ドライバと前記第２グループをなす複数の音響ドライバとに関しての１つのポイントとされていることを特徴とするモニター用ラウドスピーカ。
【請求項２１】
請求項１６記載のモニター用ラウドスピーカにおいて、
前記直線が、前記第１音響ドライバのダストカバーの中心と、前記第２音響ドライバのダストカバーの中心と、前記第３音響ドライバのダストカバーの中心と、を通過していることを特徴とするモニター用ラウドスピーカ。
【請求項２２】
ラウドスピーカシステムであって、
第１アレイをなすラウドスピーカを具備し、
この第１アレイをなすラウドスピーカが、幅および高さを有したフレームと、各々が放射表面と軸線とを有した少なくとも６個の音響ドライバと、を備え、
各音響ドライバが、７６．２ｍｍ（３インチ）よりも小さな直径を有し、
前記少なくとも６個の音響ドライバが、前記フレーム内に収容されているとともに、実質的に直線状をなす第１直線に沿って配置され、さらに、実質的に一定の離間間隔で配置され、
前記放射平面のエッジどうしの離間間隔が、５０．８ｍｍ（２インチ）よりも小さなものとされ、
前記第１アレイをなすラウドスピーカが、サウンドを放射するものとして構成され、
前記第１アレイをなすラウドスピーカのうちの第１組をなす音響ドライバが、第１共通平面内に位置した軸線を有し、
前記第１アレイをなすラウドスピーカのうちの第２組をなす音響ドライバが、第２共通平面内に位置した軸線を有し、
前記第１共通平面と前記第２共通平面とが、直線に沿って交差していることを特徴とするラウドスピーカシステム。
【請求項２３】
請求項２２記載のラウドスピーカシステムにおいて、
前記第１組をなす前記音響ドライバと、前記第２組をなす前記音響ドライバとが、交互配置されていることを特徴とするラウドスピーカシステム。
【請求項２４】
請求項２２記載のラウドスピーカシステムにおいて、
さらに、第２アレイをなすラウドスピーカを具備し、
この第２アレイをなすラウドスピーカが、さらなるフレームと、放射表面を有した複数の音響ドライバと、を備え、
各音響ドライバが、７６．２ｍｍ（３インチ）よりも小さな直径を有し、
前記複数の音響ドライバが、前記さらなるフレーム内に収容されているとともに、実質的に直線状をなす第２直線に沿って配置され、さらに、２５．４ｍｍ（１インチ）よりも小さな実質的に一定の離間間隔で配置され、
前記第２アレイをなすラウドスピーカが、前記第１直線上において、前記第１アレイをなすラウドスピーカに対して取り付けられ得るよう構成され、これにより、前記高さが増大するものの、前記幅が一定のままに維持されることを特徴とするラウドスピーカシステム。
【請求項２５】
請求項２４記載のラウドスピーカシステムにおいて、
前記第１アレイをなすラウドスピーカが、携帯式のものとされていることを特徴とするラウドスピーカシステム。
【請求項２６】
ラウドスピーカシステムであって、
携帯式の第１アレイモジュールを具備し、
この第１アレイモジュールが、携帯式フレームと、このフレーム内に収容されているとともに実質的に直線上に配置された少なくとも６個の音響ドライバと、を備え、
前記第１アレイモジュールが、複数の音響ドライバからなる２つのサブアレイを備え、
前記各音響ドライバが、軸線を有し、
前記第１サブアレイを構成する前記複数の音響ドライバの各軸線と前記第２サブアレイを構成する前記複数の音響ドライバの各軸線とが、互いに異なる平面上に位置するものとされ、
さらに、携帯式の第２アレイモジュールを具備し、
この第２アレイモジュールが、携帯式フレームと、このフレーム内に収容されているとともに実質的に直線上に配置された少なくとも６個の音響ドライバと、を備え、
前記第２アレイモジュールが、複数の音響ドライバからなる２つのサブアレイを備え、
前記各音響ドライバが、軸線を有し、
前記第１サブアレイを構成する前記複数の音響ドライバの各軸線と前記第２サブアレイを構成する前記複数の音響ドライバの各軸線とが、互いに異なる平面上に位置するものとされ、
さらに、前記第１アレイモジュールを前記第２アレイモジュールに対して取り付けるための取付システムを具備し、
この取付システムが、前記第１アレイモジュールを前記第２アレイモジュールに対して前記直線に沿って取り付けるものとされていることを特徴とするラウドスピーカシステム。
【発明の詳細な説明】
【技術分野】
【０００１】
本発明は、時にライン型の音響源や直線型の音響源とも称されるような、ラインアレイラウドスピーカに関するものである。
【背景技術】
【０００２】
ラインアレイラウドスピーカは、特許文献１および非特許文献１に開示されている。
【特許文献１】米国特許出願シリアル番号第０９／６８８５２５号明細書
【非特許文献１】Harry Olsen 氏による Acoustical Engineering（１９９１年版）の３５頁から３６頁
【発明の開示】
【課題を解決するための手段】
【０００３】
本発明の１つの見地においては、ラインアレイラウドスピーカは、第１グループをなす複数の音響ドライバであるとともに、各音響ドライバが軸線を有しており、さらに、第１グループをなすこれら複数の音響ドライバは、これら音響ドライバの各軸線が第１平面内において同一平面的に位置するようにして、なおかつ、これら音響ドライバの各々に関する同じ位置のところにおいて直線が各軸線と交差するようにして、配置されているような、第１グループをなす複数の音響ドライバを具備している。ラインアレイラウドスピーカは、さらに、第２グループをなす複数の音響ドライバであるとともに、各音響ドライバが軸線を有しており、さらに、第２グループをなすこれら複数の音響ドライバは、これら音響ドライバの各軸線が第２平面内において同一平面的に位置するようにして、なおかつ、これら音響ドライバの各々に関する同じ位置のところにおいて直線が各軸線と交差するようにして、配置されているような、第２グループをなす複数の音響ドライバを具備している。第１グループをなす複数の音響ドライバと第２グループをなす複数の音響ドライバとは、第１平面と第２平面とが交差直線に沿って交差するようにして、配置されている。第１グループをなす複数の音響ドライバと第２グループをなす複数の音響ドライバとは、交互配置することができる。第１グループをなす複数の音響ドライバのうちの、少なくとも２つの音響ドライバの軸線は、平行なものとすることができる。第１グループをなす複数の音響ドライバの各々に関する同じ位置、および、第２グループをなす複数の音響ドライバの各々に関する同じ位置は、ダストキャップの中心とすることができる。
【０００４】
本発明の他の見地においては、ラウドスピーカデバイスは、第１音響ドライバと、第２音響ドライバと、第３音響ドライバと、を具備し、これら音響ドライバの各々は、軸線を有しており、音響ドライバどうしは、直線に沿って配置されており、音響ドライバの各軸線は、直線に対して垂直とされている。第１音響ドライバと、第２音響ドライバと、第３音響ドライバとは、さらに、互いに隣接している音響ドライバの軸線どうしが非平行であるようにして、配置されている。方位平面上への第１音響ドライバの投影と、方位平面上への第２音響ドライバの投影とは、角度θで交差することができ、方位平面上への第２音響ドライバの投影と、方位平面上への第３音響ドライバの投影とは、角度φで交差することができる。
【０００５】
角度φは、−θという角度に等しいものとすることができ、これにより、方位平面上への第１音響ドライバの投影と、方位平面上への第３音響ドライバの投影とは、角度２θで交差する。角度φは、θという角度に等しいものとすることができ、これにより、方位平面上への第１音響ドライバの投影と、方位平面上への第３音響ドライバの投影とは、互いに一致する。ラウドスピーカデバイスは、さらに、軸線を有した第４音響ドライバを具備することができ、この第４音響ドライバは、直線に沿って配置されており、この第４音響ドライバは、方位平面上へのこの第４音響ドライバの投影と方位平面上への第２音響ドライバの投影とが互いに一致しているようにして、配置される。直線は、第１音響ドライバのダストカバーの中心と、第２音響ドライバのダストカバーの中心と、第３音響ドライバのダストカバーの中心と、を通過することができる。
【０００６】
本発明の他の見地においては、ラウドスピーカデバイスは、第１グループをなす複数の音響ドライバであるとともに、各音響ドライバが軸線を有しており、さらに、第１グループをなすこれら複数の音響ドライバは、直線に沿って配置され、さらに、第１グループをなすこれら複数の音響ドライバの軸線どうしが互いに平行とされているような、第１グループをなす複数の音響ドライバと；第２グループをなす複数の音響ドライバであるとともに、各音響ドライバが軸線を有しており、さらに、第２グループをなすこれら複数の音響ドライバは、直線に沿って配置され、さらに、第２グループをなすこれら複数の音響ドライバの軸線どうしが互いに平行とされているような、第２グループをなす複数の音響ドライバと；を具備し、第１グループをなす複数の音響ドライバの各軸線と第２グループをなす複数の音響ドライバの各軸線とは、非平行とされている。第１グループをなす複数の音響ドライバと第２グループをなす複数の音響ドライバとは、第１グループの２つの音響ドライバが第２グループの１つの音響ドライバによって隔離されているようにして、配置することができる。ラウドスピーカデバイスは、表面上に配置され得るように構成することができ、直線は、表面に対して非垂直とすることができる。ラウドスピーカデバイスは、表面上に配置され得るように構成することができ、ラウドスピーカデバイスは、直線が表面に対して平行とされた第１の向きと、直線が表面に対して非平行とされた第２の向きと、のいずれかでもって選択的に、表面上に配置され得るように構成することができる。第１グループをなす複数の音響ドライバと第２グループをなす複数の音響ドライバとは、第１周波数帯域の圧力波を放射するものとして構成することができ、ラウドスピーカデバイスは、さらに、第２周波数帯域の圧力波を放射する追加的な音響ドライバを具備することができる。
【０００７】
本発明の他の見地においては、モニター用ラウドスピーカは、直線に沿って配置されたような、第１音響ドライバと、第２音響ドライバと、第３音響ドライバと、を具備し、これら音響ドライバの各軸線は、非平行とされている。モニター用ラウドスピーカは、平面上に配置され得るように構成することができ、直線は、平面に対して非垂直とすることができる。モニター用ラウドスピーカは、直線が平面に対して平行とされた第１の向きと、直線が平面に対して非平行とされた第２の向きと、のいずれかでもって選択的に、平面上に配置され得るように構成することができる。直線は、各音響ドライバのダストカバーの中心を通過することができる。第１グループをなす複数の音響ドライバの各々に関する同じ位置、および、第２グループをなす複数の音響ドライバの各々に関する同じ位置は、直線によって連結可能とされた第１グループをなす複数の音響ドライバと第２グループをなす複数の音響ドライバとに関しての１つのポイントとすることができる。直線は、第１音響ドライバのダストカバーの中心と、第２音響ドライバのダストカバーの中心と、第３音響ドライバのダストカバーの中心と、を通過することができる。本発明の他の見地においては、ラウドスピーカシステムは、第１アレイをなすラウドスピーカを具備し、この第１アレイをなすラウドスピーカは、幅および高さを有したフレームと、各々が放射表面と軸線とを有した少なくとも６個の音響ドライバと、を備え、各音響ドライバは、７６．２ｍｍ（３インチ）よりも小さな直径を有している。少なくとも６個の音響ドライバは、フレーム内に収容されているとともに、実質的に直線状をなす第１直線に沿って配置され、さらに、実質的に一定の離間間隔で配置され、放射平面のエッジどうしの離間間隔は、５０．８ｍｍ（２インチ）よりも小さなものとされている。第１アレイをなすラウドスピーカは、サウンドを放射するものとして構成され、第１アレイをなすラウドスピーカのうちの第１組をなす音響ドライバは、第１共通平面内に位置した軸線を有し、第１アレイをなすラウドスピーカのうちの第２組をなす音響ドライバは、第２共通平面内に位置した軸線を有し、第１共通平面と第２共通平面とは、直線に沿って交差している。第１組をなす音響ドライバと、第２組をなす音響ドライバとは、交互配置することができる。ラウドスピー
カシステムは、さらに、第２アレイをなすラウドスピーカを具備することができ、この第２アレイをなすラウドスピーカは、さらなるフレームと、放射表面を有した複数の音響ドライバと、を備えることができ、各音響ドライバは、７６．２ｍｍ（３インチ）よりも小さな直径を有することができ、複数の音響ドライバは、さらなるフレーム内に収容されているとともに、実質的に直線状をなす第２直線に沿って配置され、さらに、２５．４ｍｍ（１インチ）よりも小さな実質的に一定の離間間隔で配置することができる。第２アレイをなすラウドスピーカは、第１直線上において、第１アレイをなすラウドスピーカに対して取り付けられ得るよう構成することができ、これにより、高さが増大するものの、幅が一定のままに維持される。第１アレイをなすラウドスピーカは、携帯式のものとすることができる。
【０００８】
本発明のさらに他の見地においては、ラウドスピーカシステムは、携帯式の第１アレイモジュールを具備している。この第１アレイモジュールは、携帯式フレームと、このフレーム内に収容されているとともに実質的に直線上に配置された少なくとも６個の音響ドライバと、を備えている。第１アレイモジュールは、複数の音響ドライバからなる２つのサブアレイを備えている。各音響ドライバは、軸線を有している。第１サブアレイを構成する複数の音響ドライバの各軸線と第２サブアレイを構成する複数の音響ドライバの各軸線とは、互いに異なる平面上に位置するものとされている。ラウドスピーカシステムは、さらに、携帯式の第２アレイモジュールを具備し、この第２アレイモジュールは、携帯式フレームを備えている。第２アレイモジュールは、さらに、フレーム内に収容されているとともに実質的に直線上に配置された少なくとも６個の音響ドライバと、を備えている。第２アレイモジュールは、複数の音響ドライバからなる２つのサブアレイを備えている。各音響ドライバは、軸線を有している。第１サブアレイを構成する複数の音響ドライバの各軸線と第２サブアレイを構成する複数の音響ドライバの各軸線とは、互いに異なる平面上に位置するものとされている。ラウドスピーカシステムは、さらに、第１アレイモジュールを第２アレイモジュールに対して取り付けるための取付システムを具備し、この取付システムは、第１アレイモジュールを第２アレイモジュールに対して直線に沿って取り付けるものとされている。
【発明を実施するための最良の形態】
【０００９】
本発明の他の特徴点や目的や利点は、添付図面を参照しつつ、以下の詳細な説明を読むことにより、明瞭となるであろう。
【００１０】
さて、図１には、本明細書内で使用される様々な用語を説明するために、音響ドライバが示されている。音響ドライバ１０は、典型的には、モータ構造１２と、このモータ構造１２に対して機械的に取り付けられた圧力波放射部材１４と、を備えている。この圧力波放射部材は、『コーン』と称されるものであって、円錐台形状のものとして図示されている。しかしながら、ラインアレイは、例えばドーム形状の表面を有したデバイスといったような様々な任意のタイプの圧力波放射部材（あるいは、圧力波放射デバイス）を使用して、構成することができる。コーンの内方エッジ１６に対しては、典型的にはドーム形状のものといったようなダストカバー１８を取り付けることができる。
【００１１】
動作時には、モータ構造は、リニアモータとして動作し、移動軸線２２（以下においては、『軸線』と称す）に沿って放射表面１４を振動させ、これにより、圧力波を放射させる。多くの音響ドライバは、移動軸線２２まわりにおいて実質的に対称形状とされる。
【００１２】
図２Ａ〜図２Ｄは、本明細書で使用される様々な用語を説明するために、従来技術によるラインアレイを示している。ラインアレイの複数のドライバは、典型的には、複数のドライバのすべての対応するポイントが直線に沿って位置合わせされているようにして、配置されている。各音響ドライバのそれぞれの軸線２２は、互いに平行でありかつ互いに同一平面上にある。つまり、それら軸線は、共通の平面３３内にある。軸線どうしが互いに平行であることにより、例えば参照ライン３６といったような、共通平面３３内に位置しておりなおかつある１つの音響ドライバの軸線に対して垂直であるような任意の直線は、他の音響ドライバの軸線に対して垂直である。ラインアレイは、図２Ｂにおいては、共通平面３３に対して垂直な直線に沿って見た状況で、図示されている。ラインアレイは、図２Ｃにおいては、複数の軸線に沿ってかつ複数のコーンに対向して見た状況で、図示されている。ラインアレイは、図２Ｄにおいては、直線３６に対して平行な直線に沿って下向きに見た状況で、図示されている。
【００１３】
図３は、本明細書で使用される用語をさらに説明するために、三次元空間を示している。直線２２Ａ，２２Ｂは、音響ドライバの各軸線を表している。直線２２Ａ，２２Ｂは、ねじれの位置にあり（つまり、互いに非平行であり、かつ、三次元空間内において互いに交差しない）、双方ともに、方位平面（あるいは、方位角平面）４０に対して平行である。直線２２Ａ’は、方位平面４０上への、直線２２Ａの投影であり、直線２２Ｂ’は、方位平面４０上への、直線２２Ｂの投影である。直線２２Ａ’，２２Ｂ’は、角度γで交差している。便宜上、『方位平面上への直線２２Ａ，２２Ｂの投影どうしが、角度γで交差する』という事象を、『直線２２Ａ，２２Ｂが、方位平面内において、角度γで交差する』として記述することとする。直線２２Ｃは、直線２２Ａに対して平行である。方位平面上への、直線２２Ａ，２２Ｃの投影どうしは、互いに一致する。以下においては、『方位平面上への、直線２２Ａ，２２Ｃの各投影が、互いに一致する』という事象は、『直線２２Ａ，２２Ｃが、方位平面内において互いに一致する』として記述することとする。
【００１４】
さて、図４は、ラインアレイラウドスピーカのうちの互いに隣接する２つの音響ドライバ２８，３０を、概略的に示す平面図（つまり、図２Ａ〜図２Ｃにおけるライン３６のような向きのラインに沿った図）である。図４の配置においては、軸線２２Ａ，２２Ｂは、方位平面内において角度θで交差するような、向きとされている。角度θは、例えば、２０°〜７０°という角度とされる。
【００１５】
図５Ａおよび図５Ｂは、図４における２つの隣接した音響ドライバを示しており、さらに、第２の音響ドライバ３０に対して隣接している第３の音響ドライバ３２を示している。図５Ａの態様においては、第３の音響ドライバ３２は、直線２２Ｃが方位平面内において角度φでもって直線２２Ｂと交差するような、向きとされている。図５Ｂの態様においては、図５Ａにおける角度φは、−θに等しいものとされている。これにより、直線２２Ｃは、方位平面内において直線２２Ａに対して２θという角度で交差する。ここで、『第１』，『第２』，『第３』という修飾語は、識別のためだけのものであり、必ずしもドライバの順序を表しているわけではない。例えば、一番上のドライバの軸線と中央のドライバの軸線とが、方位平面内において角度２θで交差することができる。あるいは、一番下のドライバの軸線と中央のドライバの軸線とが、方位平面内において角度２θで交差することができる。図５Ａおよび図５Ｂにおいては、角度θ，φをより明瞭に示すために、音響ドライバどうしは、平面図において部分的にしかオーバーラップしていない状態で図示されている。しかしながら、実際には、音響ドライバどうしは、平面図において完全にオーバーラップすることが好ましい。オーバーラップ量の増大化は、参照ライン３６がドライバを通過するポイントを、音響ドライバに近接したポイントとして選択することにより、あるいは、音響ドライバ上のポイントとしてさえ選択することにより、行うことができる。例えば、図５Ｃは、図４の配置を示しており、図５Ｃにおいては、ライン３６（紙面に対して垂直なものであり、記号『・』によって示されている）は、音響ドライバのダストカバーの中心を通過している。同様に、図５Ｄは、図５Ｂの配置を示しており、図５Ｄにおいては、ライン３６は、音響ドライバのダストカバーの中心を通過している。図２に示すような従来技術によるラインアレイとは異なり、ライン３６は、ラインアレイのすべての音響ドライバに対して、１つの対応ポイント（ダストカバーの中心）だけと交差している。ダストキャップまたはダストカバーどうしの位置合わせは、音響ドライバどうしが他の態様で配置された場合に起こり得るような軸線上の位相シフト異常を避けることができる。
【００１６】
ラインアレイの一実施形態においては、ラインアレイは、モニター用ラウドスピーカとして使用され得るように構成される。モニター用ラウドスピーカは、典型的には、例えば学校や公会堂や教会やライブ会場といったような中規模から大規模の会場における据付型のサウンドシステムと一緒に、使用される。モニター用ラウドスピーカは、また、プロ用のサウンドシステムの構成部材として使用することもできる。モニター用ラウドスピーカは、典型的には、モニター用ラウドスピーカが観衆に対してよりも演奏者や演説者に対してかなり近いようにして、配置される。モニター用ラウドスピーカが視覚的な障害物とならないように、モニター用ラウドスピーカは、典型的には、床上に配置し得るものとして、構成され配置される。図６は、モニター用ラウドスピーカとして使用され得るように構成されたラインアレイ４２を示している。ラインアレイは、鉛直方向以外の向きとすることができる。例えば、図示のように床に対して垂直ではない向きとすることができる。あるいは、水平方向とすることができる。床３４による反射により、ラインアレイは、実際のアレイに対してあたかも鏡像イメージが追加されたかのように、作用する。典型的なモニター用スピーカーの場合のように、床の近くにラインアレイを配置することにより、わずか２つまたは３つの音響ドライバを有したラインアレイによって、３つ以上または４つ以上の音響ドライバを有したラインアレイのような所望の性能を、発揮させることができる。さらに良好な性能のために、音響ドライバの数を、例えば第２ラインアレイ４４の場合の６個といったように、増やすことができる。この観点において、および、他のいくつかの観点において、ラインアレイラウドスピーカは、可聴周波数範囲の全域を放射することができる、あるいは、典型的には高音域といったような限られた周波数範囲だけを放射することができる。ラインアレイラウドスピーカが、限られた周波数範囲を放射する場合には、従来的な低周波数ラウドスピーカによって補完することができる。そのような低周波数ラウドスピーカは、ラインアレイとは別部材とすることも、また、同じフレーム内に収容したものとすることも、できる。ラインアレイは、さらに、例えばポートや受動的な放射部材といったような他の音響部材を備えることができる。低周波数ラウドスピーカや
他の音響部材は、図６には図示されていない。音響ドライバは、図示のような向きとすることができる。あるいは、必要に応じて、音響ドライバは、参照ライン４４に沿って見た場合に、図５Ｃまたは図５Ｄに示すような向きとすることができる。
【００１７】
図７Ａおよび図７Ｂは、本発明の利点を例示するために、ラインアレイの平面図を示している。コーンの直径ｄと同等であるかあるいはそれよりも小さな波長（λ）に対応する周波数においては、圧力波放射は、指向的なものとなり始める。その結果、水平方向分散（角度ψ１ によって示される）は、それら周波数においては、図７Ａの従来技術によるラインアレイで示すように、所望の分散角度よりも小さなものとなる。図４〜図５Ｄの構成に基づいてラインアレイの複数の音響ドライバの向きを配向させることにより、図７Ｂに示すように、水平方向分散ψ２ を増大させることができる。これにより、音響ドライバの直径と同等であるかあるいはそれよりも小さな波長に対応する周波数において、水平方向分散を十分に大きなものとすることができる。図７Ｃおよび図７Ｄは、図７Ａおよび図７Ｂの場合の水平方向分散パターンの効果を例示している。これらの図は、例示の目的のためのものであるので、スケールは正確ではない。図７Ａの場合の水平方向分散パターンにおいては、図７Ｃに示すように、音響ドライバの直径と同等であるかあるいはそれよりも小さな波長に対応する周波数においては、聴衆の一部の人達４８は、水平方向分散角度ψ１ の外側に位置することとなり、聴衆の他の人達５０と比較して、かなり小さな高周波数放射しか受領することができない。図７Ｂの場合の水平方向分散パターンにおいては、図７Ｄに示すように、聴衆の端の人達４８は、聴衆の他の人達５０と同様のレベルで、高周波数放射を受領することができる。
【００１８】
図８は、先の図面における見地を使用したラインアレイを三次元的に図示している。図８のラインアレイは、各々が図３のラインアレイのように構成された２つの部分を備えている。ラインアレイの第１部分は、それぞれ軸線２２Ａ，２２Ｂ，２２Ｃを有した音響ドライバ１４Ａ，１４Ｂ，１４Ｃを備えている。軸線２２Ａ，２２Ｂ，２２Ｃは、図２に関して上述したように、互いに平行であるとともに、共通平面３３Ａ内に位置している。ラインアレイの第２部分は、それぞれ軸線２２Ｄ，２２Ｅ，２２Ｆを有した音響ドライバ１４Ｄ，１４Ｅ，１４Ｆを備えている。軸線２２Ｄ，２２Ｅ，２２Ｆは、互いに平行であるとともに、共通平面３３Ｂ内に位置している。平面３３Ａ，３３Ｂは、ライン３６のところで交差している。各音響ドライバは、ライン３６が軸線２２Ａ〜２２Ｆに対して垂直でありかつ音響ドライバのダストカバーの中心を通過するようにして、配置されている。平面４０は、図３に関して上述したような方位平面である。平面３３Ａ，３３Ｂは、角度θを形成しつつ平面４０に対して交差する。例えば、７０°という角度を形成しつつ平面４０に対して交差する。第１部分を構成する音響ドライバと第２部分を構成する音響ドライバとは、交互配置されている。これにより、ラインアレイの第１部分を構成する音響ドライバ（１４Ａ，１４Ｂ，１４Ｃ）の各々は、第２部分を構成する音響ドライバ（１４Ｄ，１４Ｅ，１４Ｆ）の分だけ、第１部分を構成する最寄りの音響ドライバから隔離されている。同様に、ラインアレイの第２部分を構成する音響ドライバ（１４Ｄ，１４Ｅ，１４Ｆ）の各々は、第１部分を構成する音響ドライバ（１４Ａ，１４Ｂ，１４Ｃ）の分だけ、第２部分を構成する最寄りの音響ドライバから隔離されている。互いに隣接する２つの音響ドライバからなる各対は、第１部分を構成する１つの音響ドライバと、第２部分を構成する１つの音響ドライバと、を備えている。従来技術によるラインアレイと比較して、図８によるラインアレイは、図７Ｂに関して上述したように、ラインアレイの長手方向の実質的に全体にわたって、高周波数域において、より大きな水平方向分散を有している。
【００１９】
図９Ａ〜図９Ｆは、本発明によるラインアレイラウドスピーカの実用的な実施形態を示している。図９Ａ〜図９Ｆにおいては、他の図面における構成部材と同様の構成部材には、同じ符号に記号プライム（’）が付されている。符号の対応関係は、例示のためのものに過ぎず、本発明を何ら制限するものではない。例えば、図９Ａ〜図９Ｆにおける構成部材２８’は、また、他の図面における構成部材３０に対応することもできる。図９Ａは、図３，図５Ｃ，図７Ｂ，図８の特徴点を組み込んだラインアレイを示す図である。図９Ａのラインアレイは、より長いラインアレイを形成し得るよう、ライン６６に沿って連結し得る２つのセクション６２，６４から構成されている。図９Ｂは、図９Ａのラインアレイにおけるいくつかの音響ドライバの配置状況を拡大して示す正面図である。一実施形態においては、ラインアレイは、米国マサチューセッツ州 Framingham 所在のボーズ社によって製造された２４個の２．２５インチ（５７．１５ｍｍ）の音響ドライバを備えている。複数のドライバは、高密度に配置されており、エッジ５０どうしの離間間隔は、１インチ（２５．４ｍｍ）未満とされている。図９Ｃは、ラインアレイの配置状況を示す側面図である。図９Ｄは、複数の音響ドライバの配置を示す正面図であって、複数の音響ドライバを図９Ｂの向きに保持するための構造５２を備えている。図９Ｅは、図９Ａのラインアレイにおけるいくつかの音響ドライバの配置を拡大して示す斜視図である。図９Ｅは、音響ドライバの上面を示している。図９Ｅは、ラインアレイの他の特徴点を例示している。構造５２は、音響ドライバからの上向きの放射に影響を及ぼし得る棚５４と、音響ドライバからの下向きの放射に影響を及ぼし得る同様の棚５４と、を備えている。複数の音響ドライバが、図５に関して上述したようにダストキャップすなわちダストカバーの中心どうしが位置合わせされているようにして配置されておりさらに図４における角度θが９０°であるようにして配置されている場合には、鉛直方向の分散が広くなる。しかしながら、棚が、ラインアレイの放射パターンに影響を及ぼす可能性があるとともに、ラインアレイが嵩高いものとなって望ましくない。図４における角度θが７０°であるようにして、ダストキャップすなわちダストカバーを位置合わせして複数の音響ドライバを配
置することにより、鉛直方向分散を許容可能なものとすることができ、ラインアレイの放射に関する棚による反射効果を小さなものとすることができる。図９Ａ〜図９Ｆにおけるラインアレイにおいては、図４における角度θが７０°であるようにしてダストキャップすなわちダストカバーが位置合わせされていて複数の音響ドライバが配置されていることにより、１２０°という角度ψ（図７Ｄを参照されたい）内において、周波数レスポンスは、±２ｄＢ未満しか変化しない（つまり、実質的に聞き分けられない程度しか、変化しない）。
【００２０】
図１０Ａおよび図１０Ｂは、図６のラインアレイラウドスピーカ４２，４４を備えたモニター用ラウドスピーカを示す分解図である。図１０Ａおよび図１０Ｂにおいては、図６における構成部材と同様の構成部材には、同じ符号に記号プライム（’）が付されている。図１０Ａおよび図１０Ｂのラインアレイは、ラインアレイと同じキャビネット（あるいは、フレーム）の中に取り付けられる低音用の音響ドライバ５２を備えている。
【００２１】
本発明による概念を逸脱することなく、上述した特定の装置および技術に基づいて様々な用途や変更を見出すことができる。したがって、本発明は、上述したような様々な新規な特徴点の各々を含有するものとして、また、それら様々な新規な特徴点の各々の任意の新規な組合せを含有するものとして、理解される。本発明は、特許請求の範囲に規定された精神および範囲によってのみ制限される。
【図面の簡単な説明】
【００２２】
【図１】音響ドライバを概略的に示す図である。
【図２Ａ】従来技術によるラインアレイを概略的に示す図である。
【図２Ｂ】従来技術によるラインアレイを概略的に示す図である。
【図２Ｃ】従来技術によるラインアレイを概略的に示す図である。
【図２Ｄ】従来技術によるラインアレイを概略的に示す図である。
【図３】本発明において使用する様々な用語を説明するための三次元空間を概略的に示す図である。
【図４】ラインアレイにおける互いに対して隣接した２つの音響ドライバを概略的に示す図である。
【図５Ａ】ラインアレイにおける互いに対して隣接した音響ドライバを概略的に示す図である。
【図５Ｂ】ラインアレイにおける互いに対して隣接した音響ドライバを概略的に示す図である。
【図５Ｃ】ラインアレイにおける互いに対して隣接した音響ドライバを概略的に示す図である。
【図５Ｄ】ラインアレイにおける互いに対して隣接した音響ドライバを概略的に示す図である。
【図６】モニター用用ラウドスピーカとして使用し得るよう構成された複数のラインアレイを概略的に示す図である。
【図７Ａ】ラインアレイを概略的に示す平面図である。
【図７Ｂ】ラインアレイを概略的に示す平面図である。
【図７Ｃ】ラインアレイを概略的に示す平面図である。
【図７Ｄ】ラインアレイを概略的に示す平面図である。
【図８】ラインアレイを概略的に三次元的に示す図である。
【図９Ａ】本発明によるラインアレイの実用的な一実施形態を示す図である。
【図９Ｂ】本発明によるラインアレイの実用的な一実施形態を示す図である。
【図９Ｃ】本発明によるラインアレイの実用的な一実施形態を示す図である。
【図９Ｄ】本発明によるラインアレイの実用的な一実施形態を示す図である。
【図９Ｅ】本発明によるラインアレイの実用的な一実施形態を示す図である。
【図９Ｆ】本発明によるラインアレイの実用的な一実施形態を示す図である。
【図１０Ａ】モニター用用ラウドスピーカとして使用し得るよう構成されたラインアレイを示す分解図である。
【図１０Ｂ】モニター用用ラウドスピーカとして使用し得るよう構成されたラインアレイを示す分解図である。
【符号の説明】
【００２３】
１０    音響ドライバ
１４Ａ  音響ドライバ
１４Ｂ  音響ドライバ
１４Ｃ  音響ドライバ
１４Ｄ  音響ドライバ
１４Ｅ  音響ドライバ
１４Ｆ  音響ドライバ
１８    ダストカバー、ダストキャップ
２２    軸線
２２Ａ  軸線
２２Ｂ  軸線
２２Ｃ  軸線
２２Ｄ  軸線
２２Ｅ  軸線
２２Ｆ  軸線
３０    音響ドライバ
３２    音響ドライバ
３３Ａ  共通平面
３３Ｂ  共通平面
３６    ライン、直線
【図１】
2009512275.tif 000003
【図２Ａ】
2009512275.tif 000004
【図２Ｂ】
2009512275.tif 000005
【図２Ｃ】
2009512275.tif 000006
【図２Ｄ】
2009512275.tif 000007
【図３】
2009512275.tif 000008
【図４】
2009512275.tif 000009
【図５Ａ】
2009512275.tif 000010
【図５Ｂ】
2009512275.tif 000011
【図５Ｃ】
2009512275.tif 000012
【図５Ｄ】
2009512275.tif 000013
【図６】
2009512275.tif 000014
【図７Ａ】
2009512275.tif 000015
【図７Ｂ】
2009512275.tif 000016
【図７Ｃ】
2009512275.tif 000017
【図７Ｄ】
2009512275.tif 000018
【図８】
2009512275.tif 000019
【図９Ａ】
2009512275.tif 000020
【図９Ｂ】
2009512275.tif 000021
【図９Ｃ】
2009512275.tif 000022
【図９Ｄ】
2009512275.tif 000023
【図９Ｅ】
2009512275.tif 000024
【図９Ｆ】
2009512275.tif 000025
【図１０Ａ】
2009512275.tif 000026
【図１０Ｂ】
2009512275.tif 000027
【国際調査報告】
2009512275.tif 000028
2009512275.tif 000029
2009512275.tif 000030